(57)【要約】【課題】架線の補修箇所を保持するのに使用されるスティック等の活線作業用工具を、高所作業車のバケット等の所定の作業箇所に、工具先端の向き及びその移動が自在に調整できるように固定する活線作業用工具の固定装置を提供する。【解決手段】所定の作業箇所に取り付け固定される固定枠１に、ボール取付ヘッド２を上下動可能に取り付け、このボール取付ヘッド２に、スタッド４付きのボール５と、ボール５を受けるボール受け部６と、ボール５をボール受け部６に圧着して回動不能に固定する圧着固定手段７とを設け、スタッド４に、活線作業用工具Ｓを取外し可能に固定するクランプ８を設ける。【選択図】図５
2005184868.tif 000002
【特許請求の範囲】
【請求項１】
所定の作業箇所に取り付け固定される固定枠１に、ボール取付ヘッド２を上下動可能に取り付け、このボール取付ヘッド２には、スタッド４付きボール５と、ボール５を受けるボール受け部６と、ボール５をボール受け部６に圧着して回動不能に固定する圧着固定手段７とを設け、前記スタッド４に、活線作業用工具Ｓを取外し可能に固定するクランプ８を設けてなる活線作業用工具の固定装置。
【請求項２】
前記ボール５の外周面には、多数の断面半円状凹窪部１７が形成されている請求項１に記載の活線作業用工具の固定装置。
【発明の詳細な説明】
【技術分野】
【０００１】
本発明は、活線の切断作業、皮剥作業等を行うのに使用されるスティック、ヤットコ等の活線作業用工具を所定の作業箇所、例えば高所作業車のバケットの所定位置に固定するための活線作業用工具の固定装置に関する。
【背景技術】
【０００２】
活線作業には危険を伴うため、通電を一時的に止めて作業を行うことが好ましいが、通電を一時的に止めることによる弊害が多大であることから、少なくとも作業者の手で持つ部分が絶縁材料で作られた棒状のスティックやヤットコ等の活線作業用工具が使用されている。
【０００３】
従来、上記のような活線作業用工具を使用して、例えば架線の被覆部分の剥離作業を行う場合には、高所作業車のバケットに二人の作業者に乗り、そのうちの一人が、先端に保持具を取り付けたスティックを持って、架線が動かないようにその剥離箇所を保持固定し、もう一人の作業者が、先端に剥離用具を取り付けたスティックを持って、このスティックで遠隔操作しながら被覆部分を剥離すると云うような作業方法がとられている。
【発明の開示】
【発明が解決しようとする課題】
【０００４】
上記のような作業方法では一箇所での活線作業に二人の作業者が必要であることから、本発明は、一人の作業者で活線作業が行えるようにするため、架線の補修箇所を保持するのに使用されるスティック等の活線作業用工具を、高所作業車のバケット等の所定の作業箇所に、工具先端の向き及びその移動が自在に調整できるように固定する活線作業用工具の固定装置を提供することを目的とする。
【課題を解決するための手段】
【０００５】
請求項１に係る発明の活線作業用工具の固定装置Ａは、図２及び図５に示すように、所定の作業箇所に取り付け固定される固定枠１に、ボール取付ヘッド２を上下動可能に取り付け、このボール取付ヘッド２には、スタッド４付きのボール５と、ボール５を受けるボール受け部６と、ボール５をボール受け部６に圧着して回動不能に固定する圧着固定手段７とを設け、前記スタッド４に、活線作業用工具Ｓを取外し可能に固定するクランプ８を設けてなることを特徴とする。
【０００６】
請求項２は、請求項１に記載の活線作業用工具の固定装置において、前記ボールの外周面には、多数の断面半円状凹窪部１７が形成されていることを特徴とする。
【発明の効果】
【０００７】
請求項１に係る発明の固定装置は、固定枠にボール取付ヘッドを上下動可能に取り付け、このボール取付ヘッドに、スタッド付きボールと、ボールを受けるボール受け部と、ボールをボール受け部に圧着して回動不能に固定する圧着固定手段とを設け、前記スタッドに、活線作業用工具を取外し可能に固定するクランプを設けたものであって、この固定装置を使用することにより、例えば架線の補修箇所を保持する活線作業用工具を、所定の作業箇所に、必要とする所望の姿勢で固定させておくことができるから、作業者は一人で別の活線作業用工具を持って、遠隔操作しながら所要の活線作業を行えばよく、従って従来二人で行っていた活線作業を一人で行うことができ、人件費の節約に貢献することができる。
【０００８】
また、この固定装置では、ボール取付ヘッドを固定枠に対し上下動させて任意の位置に固定できるから、活線作業用工具の固定位置の高さ調整が可能で、活線作業用工具の固定作業が一層容易となる。
【０００９】
請求項２に係る発明の固定装置は、ボールの外周面に多数の凹窪部を形成したものであるから、押し付け部材によりボールをボール受け部に押し付ける際に、その凹窪部がボール受け部の凹曲面に対し食い付き作用を発揮し、その食い付き作用によってボールをボール受け部に強固に固定でき、それにより活線作業用工具を所望の姿勢に確実に固定することができ、そして特に各凹窪部が断面半円状に形成されているから、ボールがどの方向に回転していても、ボール受け部の凹曲面に対し食い付き作用を確実に発揮できる。
【発明を実施するための最良の形態】
【００１０】
図１は本発明に係る活線作業用工具の固定装置Ａの使用状態を示す斜視図、図２は同固定装置Ａの拡大斜視図、図３は同固定装置Ａの正面図、図４は同固定装置Ａの側面図、図５の(a) は同固定装置Ａの要部拡大縦断面図、(b) は同固定装置Ａのクランプ８の側面図である。これらの図において、１は高所作業車ＫのバケットＢに取り付け固定される固定枠、２は固定枠１に取り付けられるボール取付ヘッドで、固定枠１に対し上下スライド可能で且つ軸芯Ｏ周りに回動可能な強化プラスチック製の支柱２ｂと、この支柱２ｂの上端部に設けられた金属製のヘッド本体２ａとからなり、このヘッド本体２ａに、スタッド４を一体に突設したボール５と、このボール５を受ける凹曲面状のボール受け部６と、前記ボール５をボール受け部６に圧着して回動不能に固定する圧着固定手段７とが設けられ、そしてボール５のスタッド４に、活線作業用工具としてスティックＳを取外し可能に固定するクランプ８が連設されている。また、固定枠１には左右一対の補助棒３，３が装備されている。
【００１１】
ボール取付ヘッド２のヘッド本体２ａは、図５の(a) に示すように、円筒状の外筒９と、この外筒９内の上部側に、鍔部９ａ，１０ａによって抜け出しを阻止された状態で嵌合された円筒状のボール保持筒１０と、外筒９内の下部側に螺嵌されてビスａで固定された円筒状の支持部材１１とからなるもので、ボール保持筒１０の内径はボール５の直径より僅かに大きいが、先端部が漸次径小となってその径小部分に前記凹曲面状のボール受け部６を形成し、このボール受け部６にボール５が回動可能に係合しており、スタッド４は、ボール保持筒１０から外方へ一体に突出している。尚、スタッド４は、ボール５と別体に形成して連結してもよい。
【００１２】
ヘッド本体２ａのボール保持筒１０には、ボール５のスタッド４が挿通可能な切欠溝部１０ｂが設けてあって、そのスタッド４が図５(a) の実線で示す垂直位置から同図の仮想線で示すように９０°近くまで横転できるようになっている。尚、切欠溝部１０ｂの設けていないところでは、スタッド４は上記垂直位置から約３０°程度まで傾転可能である。ボール受け部６は、ボール５の外周面とほぼ同じ曲率の凹曲面に形成されている。
【００１３】
圧着固定手段７は、図５の(a) に示すように、ヘッド本体２ａの支持部材１１内に同心状に嵌合されてビスｂで支持部材１１に固定された雌ねじ部１２と、この雌ねじ部１２に螺合された雄ねじ部１３と、この雄ねじ部１３の上端部に同軸一体に形成された円板状ヘッド部１３ａにスラスト軸受１４を介して冠載され、ボール５に押し付けられる押し付け部材１５と、前記雄ねじ部１３をヘッド本体２ａの外側から回転操作するための操作レバー１６とからなる。操作レバー１６は、その内端部が前記ヘッド部１３ａのねじ孔ｃに螺着されて、外端部側が外筒９の横長窓９ａから突出している。スラスト軸受１４は、ニードルベヤリングからなる。
【００１４】
しかして、上記操作レバー１６を、前記横長窓９ａの一端側から他端側へ一定角度回すことにより、雌ねじ部１２に螺合している雄ねじ部１３がボール５に近づく方へ螺進して、スラスト軸受１４を介して押し付け部材１５がボール５に押し付けられ、それによりボール５がホルダー部３のボール受け部６に圧着されて、ボール５はホルダー部３側に回動不能に固定される。また、操作レバー１６を逆方向に回すと、雄ねじ部１３が雌ねじ部１２に対しボール５から離れる方へ螺進して、ボール受け部６に対するボール５の圧着作用が解除され、ボール５はホルダー部３に対し自由に回動可能となる。
【００１５】
この場合、雄ねじ部１３のヘッド部１３ａと押し付け部材１５との間に介装されたスラスト軸受１４によって、雄ねじ部１３側が回転しても押し付け部材１５は回転せず、従って操作レバー１６の回転操作時に押し付け部材１５とボール５の間に回転接触摩擦力が生じないから、レバー１６の操作が容易となる。特に、このスラスト軸受１４がニードルベヤリングからなるため、雄ねじ部１３側と押し付け部材１５との間に生ずる回転接触摩擦力が軽減され、レバー１６の操作が一層容易となる。
【００１６】
また、図５の(a) に示すように、ボール５の外周面には多数の凹窪部１７が形成されているから、押し付け部材１５によってボール５をボール受け部６に押し付けて圧着する際に、凹窪部１７がボール受け部６の凹曲面に対し食い付き作用を発揮し、その食い付き作用によってボール５がボール受け部６に確実強固に固定される。特に、各凹窪部１７が断面半円状に形成されているから、ボール５がどの方向に回転していても、その回転位置に関係なく、ボール受け部６の凹曲面に対し食い付き作用を発揮することができる。
【００１７】
ボール５のスタッド４に連設されたクランプ８は、図５の(a) 及び(b) に示すように、スタッド４の先端部に嵌合されてピン１８により固定された固定部材１９と、左右２本のガイドロッド２０，２０を介して、固定部材１９に対し平行移動可能な可動部材２１とを有する。ガイドロッド２０は、可動部材２１の両端部から夫々垂直下方へ突出して、固定部材１９のガイド孔１９ａに挿通支持されている。またガイドロッド２０には、可動部材２１を固定部材１９に対し適当間隔に保持して活線作業用工具の挿入を容易にするためのコイルバネ２２が嵌装されている。そして、これら固定部材１９と可動部材２１との対向面には、活線作業用工具としてのスティックＳを挟持する断面略Ｖ字状の挟持部１９ａ，２１ａが形成されている。また、固定部材１９の中央部にはねじ軸２３が立設され、このねじ軸２３は可動部材２１の孔２１ｂに挿通され、その先端部には締付操作用のハンドル２４が螺嵌されている。
【００１８】
このクランプ８の使用にあたっては、図５の(b) に示すように、固定部材１９と可動部材２１との両挟持部１９ａ，２１ａ間にスティックＳを挿入し、ねじ軸２３に螺嵌されている締付操作用ハンドル２４をコイルバネ２２の付勢力に抗して締付方向に回転させることにより、可動部材２１が固定部材１９側に接近して、両挟持部１９ａ，２１ａ間で種々の径のスティックＳを挟持固定することができる。
【００１９】
ボール取付ヘッド２の支柱２ｂは、強化プラスチック（ＦＲＰ）で形成された円筒部材からなるもので、固定枠１の上部に設置された上部支持円筒部材２５と、固定枠１内の下部に設けられた下部支持円筒部材２６とによって、上下スライド可能で且つ回転可能に挿通支持されており、上部支持円筒部材２５に取り付けられた締付ボルト２７を締め付けることによって、任意の高さ位置及び回転位置で固定できるようになっている。この締付ボルト２７には回転操作用のツマミ２７ａが設けてある。
【００２０】
高所作業車ＫのバケットＢに取り付け固定される固定枠１は、図２〜図４に示すように、夫々下向きコ字状に形成された左右一対のコ字状側板２８，２８と、両コ字状側板２８，２８の上端部つなぐ上部板２９と、両コ字状側板２８，２８の下端部をつなぐ下部連結板３０とによって、図２及び図４に示すようなバケットＢの側壁３１に跨嵌される鞍形に形成されている。各コ字状側板２８は、前後両脚部２８ａ，２８ｂと連結部２８ｃとで下向きコ字状に形成されている。
【００２１】
この固定枠１の上部枠２９には、左右両コ字状側板２８，２８の一方の側板２８側に寄り且つ後端側に寄った位置に前記上部支持円筒部材２５が固定され、この上部支持円筒部材２５の真下位置に下部支持円筒部材２６がコ字状側板２８と下部連結板３０とに取り付けられて固定され、上下両支持円筒部材２５，２６に前記支柱２ｂが上下スライド可能で且つ回転可能に挿通支持される。また、下部連結板３０には前後方向に延びる螺軸３２が軸支され、この螺軸３２の先端部には、図４に示すようにバケットＢの側壁３外面１に当接される円板状の押し付け部材３３が取り付けられ、螺軸３２の基端部には回転操作レバー３４が取り付けられている。
【００２２】
また固定枠１には、この固定枠１をバケットＢの側壁３１に安定状態に取り付けるために左右一対の補助棒３，３が装備されている。各補助棒３は、プラスチックで形成されたもので、バケットＢの高さよりも若干短い程度の長さを有し、固定枠１を形成するコ字状側板２８の後側脚部２８ｂの外側面に上端部側がブラケット３５で取り付けられて垂下され、そして両補助棒３，３の下端部どうしが連結部材３６で連結され、この連結部材３６の内側にはバケットＢの側壁３１の外側面下端部に当接する当接部材３７が取り付けられている（図４参照）。
【００２３】
従って、上記固定枠１を高所作業車のバケットＢに取り付けるには、図２〜図４に示すように、左右両コ字状側板２８，２８をバケットＢの側壁３１上端部にパッド３８を介して跨嵌し、そして回転操作レバー３４により螺軸３２を螺進させて、この螺軸３２の先端の押し付け部材３３と、両コ字状側板２８，２８の夫々の前側脚部２８ａ，２８ａとによって、バケットＢの側壁３１を挟着すればよい。上記パッド３８は、合成ゴムで形成されたもので、両側板２８，２８をバケットＢの側壁３１上端部に密着させた状態で安定に取り付ける役割を有する。
【００２４】
以上説明したように構成される固定装置Ａを使用して、図１に示すような架線Ｃの活線作業、例えば被覆部分の剥離作業を行う場合には、先ず、固定装置Ａの固定枠１を高所作業車ＫのバケットＢの所要部に跨嵌させて取り付け固定する。この際、ボール取付ヘッド２の圧着固定手段７は、操作レバー１６を、ボール受け部６に対するボール５の圧着作用が解除されるロック解除位置にセットして、スタッド４に設けられたクランプ８がボール５を中心として任意の方向へ自由に揺動できるようにしておく。
【００２５】
それから、作業者Ｍが、先端に保持具Ｅを取り付けたスティックＳを持って、その保持具Ｅで剥離箇所の所要部を保持しながら、固定装置Ａのクランプ８側をボール５を中心に適宜に揺動させて、このスティックＳの基端部をクランプ８に挟持固定する。この際、ボール取付ヘッド２を固定枠１に対し上下動させて、ボール取付ヘッド２の高さを適宜に調整すると共に、スティックＳ先端の向きに応じてクランプ８側を揺動させ、また保持具Ｅの保持位置に応じてスティックＳをその長さ方向に適宜移動させ、そしてスティックＳが所望の姿勢になった状態でスティックＳの基端部をクランプ８で固定する。その後、圧着固定手段７のレバー１６をロック位置まで回して、ボール５をボール取付ヘッド２側に回動不能に固定することによって、スティックＳは、図１に示すようにバケットＢに取り付け固定した装置本体１に対し所望の姿勢に固定される。
【００２６】
このとき、固定枠１に装備された左右一対の補助棒３，３の下端部が当接部材３７を介してバケットＢの側壁３１外面に当接支持される（図４参照）から、固定枠１がバケットＢの外方側へ倒れるのを防止し、それによって固定枠１をバケットＢに対して安定良く堅固に取り付けることができる。
【００２７】
こうして、剥離箇所の所要部を保持するスティックＳを、固定装置ＡによってバケットＢに固定した後、作業者Ｍが、先端に剥離用具Ｆを取り付けた別のスティックＳ′を持って、このスティックＳ′で遠隔操作しながら架線Ｃの被覆部分の剥離作業を行う。
【００２８】
上述したように、本発明の固定装置Ａによれば、架線Ｃが動かないように剥離箇所の所要部を保持するスティックＳを、バケットＢの所定箇所において、三次元方向に適宜に位置調整した上で作業に必要な所望の姿勢に固定させることができるから、作業者Ｍは一人で別のスティックＳ′を持って、遠隔操作しながら被覆部分の剥離作業を行うことができる。この場合、必要に応じ、複数個のスティックＳを使用して、それらをバケットＢの所要位置に固定することができる。
【００２９】
特に、この固定装置Ａによれば、レバー１６を一定角度範囲回動操作するだけで、ボール受け６に対するボール５のロック及びロック解除を行えるから、スティックＳ等の活線作業用工具の固定又は取外し作業が簡単容易となる。また、ボール取付ヘッド２を固定枠１に対し上下動させて任意の位置に固定できるから、活線作業用工具の固定位置の高さ調整が可能で、活線作業用工具の固定作業が一層容易となる。また、ボール取付ヘッド２のボール５の外周面には多数の凹窪部１７が形成されているから、押し付け部材１５によりボール５をボール受け部６に押し付ける際に、その凹窪部１７がボール受け部６の凹曲面に対し食い付き作用を発揮し、その食い付き作用によってボール５をボール受け部６に強固に固定でき、それにより活線作業用工具を所望の姿勢に確実に固定することができる。特に、各凹窪部１７が断面半円状に形成されているから、ボール５がどの方向に回転していても、ボール受け部６の凹曲面に対し食い付き作用を確実に発揮できる。
【００３０】
上記の実施形態では、固定装置Ａに固定する活線作業用工具として、スティックＳのみを例示したが、ヤットコその他のスティックＳ以外の工具も固定することができる。また、装置本体１は、高所作業車ＫのバケットＢに限らず、所定の作業箇所に取り付け固定させることができるものである。
【図面の簡単な説明】
【００３１】
【図１】本発明に係る活線作業用工具の固定装置の使用状態を示す斜視図である。
【図２】同固定装置の拡大斜視図である。
【図３】同固定装置の正面図である。
【図４】同固定装置の側面図である。
【図５】(a) は同固定装置の要部拡大縦断面図、(b) は同固定装置のクランプの側面図である。
【符号の説明】
【００３２】
Ｓ，Ｓ′      スティック（活線作業用工具）
Ａ            活線作業用工具の固定装置
１            装置本体
２            ボール取付ヘッド
２ａ          ヘッド本体
３            補助棒
４            スタッド
５            ボール
６            ボール受け部
７            ねじ式の圧着固定手段
８            クランプ
１７          断面半円状凹窪部
【図１】
2005184868.tif 000003
【図２】
2005184868.tif 000004
【図３】
2005184868.tif 000005
【図４】
2005184868.tif 000006
【図５】
2005184868.tif 000007